(57)【特許請求の範囲】
【請求項１】
金属製の基板取付部材と、
前記基板取付部材の一面側に配置された回路基板と、
前記回路基板を覆うように、前記基板取付部材の一面側の一部のみに配置されたカバー部材と、
前記基板取付部材の二面側に配置された表示パネルとを備え、
前記カバー部材は、前記回路基板を収納する凹部を有し、前記表示パネルの面に垂直な所定方向の前記凹部の断面が略台形状に窪んでいる、表示装置。
【請求項２】
前記回路基板は、外部接続端子を有しており、
前記カバー部材は、前記回路基板の外部接続端子を露出させる開口部を有する、請求項１に記載の表示装置。
【請求項３】
前記基板取付部材は、少なくとも前記回路基板の熱を外部に放熱する放熱部として機能する、請求項１または２に記載の表示装置。
【請求項４】
前記一面は、前記カバー部材の周囲を取り囲むように設けられるとともに外部に露出する露出部分を含む、請求項１〜３のいずれか１項に記載の表示装置。
【請求項５】
前記基板取付部材は、前記二面側に窪む凹状部分を含み、
前記カバー部材は、前記凹状部分に嵌まり込むように取り付けられている、請求項１〜４のいずれか１項に記載の表示装置。
【請求項６】
前記基板取付部材の外周縁部に近接して前記外周縁部の周囲を覆う内周縁部を有する枠状の前部筐体をさらに備える、請求項１〜５のいずれか１項に記載の表示装置。
【請求項７】
スピーカをさらに備え、
前記カバー部材は、前記回路基板に加えて前記スピーカも覆うように配置されている、請求項１〜６のいずれか１項に記載の表示装置。
【請求項８】
前記カバー部材は、前記表示パネルの長手方向側の一方側面が前記基板取付部材の前記一面に対して略垂直に形成されており、
前記一方側面に形成された前記開口部を介して前記外部接続端子が前記カバー部材の外部に露出するように配置されている、請求項２に記載の表示装置。
【請求項９】
前記基板取付部材は、前記カバー部材よりも外周縁部側において前記一面側に突出する凸状部分を含み、前記凸状部分における前記二面側に空間部を有する、請求項１〜８のいずれか１項に記載の表示装置。
【発明の詳細な説明】
【技術分野】
【０００１】
この発明は、表示装置およびテレビジョン装置に関し、特に、基板取付部材を含む表示パネルを備える表示装置およびテレビジョン装置に関する。
【背景技術】
【０００２】
従来、基板取付部材を含む表示パネルを備える表示装置およびテレビジョン装置が知られている（たとえば、特許文献１参照）。
【０００３】
上記特許文献１には、表示部（表示パネル）と、表示部の前側に配置される外装枠体（前部筐体）と、表示部の後側に配置されるカバーとを備えた表示装置（テレビジョン装置）が開示されている。そして、表示部は、後面に基板装着部を有する金属板（基板取付部材）と、金属板の基板装着部に取り付けられた回路基板と、金属板の基板装着部に取り付けられた回路基板の周囲を取り囲むように配置された貫通孔を有する枠状の合成樹脂ケースとを含んでいる。また、カバーは、合成樹脂ケースに形成された貫通孔を塞ぐように合成樹脂ケースに取り付けられることによって、金属板の基板装着部に取り付けられた回路基板を覆うように配置されている。
【先行技術文献】
【特許文献】
【０００４】
【特許文献１】特開２０１１−８０２６号公報
【発明の概要】
【発明が解決しようとする課題】
【０００５】
しかしながら、上記特許文献１に記載の表示装置（テレビジョン装置）では、金属板の基板装着部に取り付けられた回路基板を覆うようにカバーを取り付けるために、金属板の基板装着部に取り付けられた回路基板の周囲に別途合成樹脂ケースを配置する必要があるという不都合がある。このため、合成樹脂ケースを配置する分、表示部（表示パネル）の部品点数が増加するという問題点がある。
【０００６】
この発明は、上記のような課題を解決するためになされたものであり、この発明の１つの目的は、部品点数が増加するのを抑制することが可能な表示装置およびテレビジョン装置を提供することである。
【課題を解決するための手段および発明の効果】
【０００７】
この発明の第１の局面による表示装置は、金属製の基板取付部材と、基板取付部材の一面側に配置された回路基板と、回路基板を覆うように、基板取付部材の一面側の一部のみに配置されたカバー部材と、基板取付部材の二面側に配置された表示パネルとを備え、カバー部材は、回路基板を収納する凹部を有し、表示パネルの面に垂直な所定方向の凹部の断面が略台形状に窪んでいる。
【０００８】
この第１の局面による表示装置では、上記のように、基板取付部材の基板取付領域に取り付けられた回路基板をカバー部材により直接的に覆うことができるので、カバー部材以外の部材を別途設ける必要がない分、部品点数が増加するのを抑制することができる。また、基板取付部材の基板取付領域と非基板取付領域との両方をカバー部材により覆う場合と異なり、回路基板から発生した熱を基板取付部材の露出している非基板取付領域から外部に効率よく放熱させることができる。また、少なくとも基板取付部材の露出された非基板取付領域により後部筐体を構成することによって、カバー部材を基板取付部材の一部（基板取付領域）のみを覆うように配置した場合にも、別途、後部筐体を設ける必要がない。
【０００９】
上記第１の局面による表示装置において、好ましくは、回路基板は、外部接続端子を有しており、カバー部材は、回路基板の外部接続端子を露出させる開口部を有する。このように構成すれば、回路基板がカバー部材により覆われた状態で、回路基板の外部接続端子をカバー部材の開口部を介して外部に設置された電子機器などの接続配線と容易に接続することができる。
【００１０】
上記第１の局面による表示装置において、好ましくは、基板取付部材は、少なくとも回路基板の熱を外部に放熱する放熱部として機能する。このように構成すれば、たとえば、後部筐体を構成する基板取付部材が樹脂製の場合と比べて熱が伝わりやすいので、回路基板から発生した熱を外部により効率よく放熱させることができる。
【００１２】
上記第１の局面による表示装置において、好ましくは、一面は、カバー部材の周囲を取り囲むように設けられるとともに外部に露出する露出部分を含む。このように構成すれば、基板取付部材の基板取付領域の周囲を取り囲むように露出された非基板取付領域により、放熱に有効な露出領域の面積を大きくすることができるので、基板取付部材の基板取付領域に取り付けられた回路基板から発生した熱をより効果的に放熱することができる。
【００１３】
上記第１の局面による表示装置において、好ましくは、基板取付部材は、二面側に窪む凹状部分を含み、カバー部材は、凹状部分に嵌まり込むように取り付けられている。このように構成すれば、基板取付部材の基板取付領域が平坦面形状に形成されている場合と異なり、基板取付部材の基板取付領域が凹形状に形成されている分、装置全体の厚みを小さくすることができる。
【００１４】
上記第１の局面による表示装置において、好ましくは、基板取付部材の外周縁部に近接して外周縁部の周囲を覆う内周縁部を有する枠状の前部筐体をさらに備える。このように構成すれば、容易に、後部筐体を構成する基板取付部材の外周縁部に前部筐体の内周縁部を近接させて前部筐体と後部筐体（基板取付部材）とを対応する形状に形成することができる。
【００１５】
上記第１の局面による表示装置において、好ましくは、スピーカをさらに備え、カバー部材は、回路基板に加えてスピーカも覆うように配置されている。このように構成すれば、スピーカを覆うための部材を別途設ける必要がない分、部品点数の増加を抑制することができる。
【００１６】
上記カバー部材が回路基板の外部接続端子を露出させる開口部を有する構成において、好ましくは、カバー部材は、表示パネルの長手方向側の一方側面が基板取付部材の一面に対して略垂直に形成されており、一方側面に形成された開口部を介して外部接続端子がカバー部材の外部に露出するように配置されている。
【００１７】
上記第１の局面による表示装置において、好ましくは、基板取付部材は、カバー部材よりも外周縁部側において一面側に突出する凸状部分を含み、凸状部分における二面側に空間部を有する。
【図面の簡単な説明】
【００１９】
【図１】本発明の一実施形態による液晶テレビジョン装置を前側から見た全体斜視図である。
【図２】本発明の一実施形態による液晶テレビジョン装置を後ろ側から見た全体斜視図である。
【図３】本発明の一実施形態による液晶テレビジョン装置の背面図（後面図）である。
【図４】本発明の一実施形態による液晶テレビジョン装置の分解斜視図である。
【図５】本発明の一実施形態による液晶テレビジョン装置の回路基板が取り付けられたリアフレームの平面図である。
【図６】本発明の一実施形態による液晶テレビジョン装置のカバー部材の背面図（後面図）である。
【図７】本発明の一実施形態による液晶テレビジョン装置のブロック図である。
【図８】図３の２００−２００線に沿った断面図である。
【図９】本発明の一実施形態による液晶テレビジョン装置のリアフレームの全体斜視図である。
【図１０】本発明の一実施形態によるカバー部材を１９型の液晶テレビジョン装置のリアフレームに取り付けた場合を示す図である。
【図１１】本発明の一実施形態によるカバー部材を２２型の液晶テレビジョン装置のリアフレームに取り付けた場合を示す図である。
【発明を実施するための形態】
【００２０】
以下、本発明を具体化した実施形態を図面に基づいて説明する。
【００２１】
図１〜図９を参照して、本発明の一実施形態による液晶テレビジョン装置１００の構成について説明する。なお、液晶テレビジョン装置１００は、本発明の「表示装置」および「テレビジョン装置」の一例である。
【００２２】
本発明の一実施形態による液晶テレビジョン装置１００は、図１および図２に示すように、矩形形状を有するとともに、枠状の前部筐体１と、前部筐体１に収納された液晶モジュール２と、液晶テレビジョン装置１００全体を支持するスタンド部材３とを備えている。なお、液晶モジュール２は、本発明の「表示パネル」の一例である。また、前部筐体１およびスタンド部材３は、共に樹脂製である。
【００２３】
また、図２および図３に示すように、前部筐体１の後面（一面）側（矢印Ｙ２方向側）には、板金からなる金属製のリアフレーム５が配置されている。なお、リアフレーム５は、本発明の「基板取付部材」の一例である。また、リアフレーム５は、後方から見て、矩形形状を有しているとともに、前部筐体１よりも小さく形成されている。また、図３に示すように、前部筐体１の内周面部１ａは、リアフレーム５の外周面部５０に近接（接触）するとともに、リアフレーム５の外周面部５０の周囲を覆うように配置されている。なお、内周面部１ａは、本発明の「内周縁部」の一例であり、外周面部５０は、本発明の「外周縁部」の一例である。
【００２４】
また、金属製のリアフレーム５の裏面側には、樹脂製のカバー部材６が取り付けられている。このカバー部材６は、後方から見て、矩形形状を有しているとともに、前部筐体１およびリアフレーム５よりも小さく形成されている。
【００２５】
また、図４に示すように、前部筐体１とリアフレーム５との間には、リアフレーム５から前部筐体１の方向（矢印Ｙ１方向）に向かって、光反射シート（図示せず）、導光板（図示せず）、光学シート（図示せず）、枠状の樹脂フレーム４ａ、液晶セル（図示せず）および枠状のベゼル（図示せず）などが配置されている。また、樹脂フレーム４ａの側方には、複数のＬＥＤから構成される光源４ｂが配置されている。また、液晶モジュール２は、樹脂フレーム４ａ、上記図示しない構成要素、光源４ｂおよびリアフレーム５を含んでいる。
【００２６】
ここで、本実施形態では、図４に示すように、金属製のリアフレーム５の後面（矢印Ｙ２方向側の面）には、装置全体に電力を供給する機能を有する回路基板７および信号処理を行う回路基板８がＸ方向に所定の間隔を隔てて並べて取り付けられている。具体的には、図５に示すように、リアフレーム５の後面は、中央部分に設けられ、２つの回路基板７および８が取り付けられる基板取付領域５１と、基板取付領域５１を取り囲むように設けられた非基板取付領域５２とを含んでいる。非基板取付領域５２は、本発明の「露出部分」および「凸状部分」の一例である。
【００２７】
また、図４に示すように、リアフレーム５の後面には、２つの回路基板７および８の各々を取り付けるための複数の基板取付用ネジ穴５ａが形成されている。また、回路基板７の外縁部には、ネジ９を挿入するためのネジ挿入穴７ａが形成されているとともに、回路基板８の外縁部には、ネジ９を挿入するためのネジ挿入穴８ａが形成されている。また、２つの回路基板７および８の各々は、複数のネジ９（図４および図５参照）が回路基板７のネジ挿入穴７ａおよび回路基板８のネジ挿入穴８ａを介してリアフレーム５の複数の基板取付用ネジ穴５ａに取り付けられることにより、リアフレーム５に対して固定されている。また、リアフレーム５の後面には、外縁部に沿って、複数のネジ挿入穴５ｂが形成されている。この複数のネジ挿入穴５ｂの各々にネジ９（図４参照）が取り付けられることにより、リアフレーム５が前部筐体１（図４参照）に対して取り付けられている。また、リアフレーム５の後面には、カバー部材６を取り付けるための複数のカバー部材取付用ネジ穴５ｃが形成されている。
【００２８】
また、２つの回路基板７および８が取り付けられたリアフレーム５の後面（矢印Ｙ２方向側の表面）には、１つの樹脂製のカバー部材６が取り付けられている。また、本実施形態では、図５および図６に示すように、カバー部材６は、２つの回路基板７および８が取り付けられた基板取付領域５１を後方（矢印Ｙ２方向）側から覆うとともに、リアフレーム５の後面（矢印Ｙ２方向）の非基板取付領域５２（基板取付領域５１以外の領域）を露出させるように配置されている。具体的には、図３に示すように、カバー部材６は、リアフレーム５の基板取付領域５１の左右および上部の縁部を取り囲む非基板取付領域５２が露出されるように配置されている。なお、リアフレーム５の基板取付領域５１の下部の縁部側（矢印Ｚ２方向側）には、非基板取付領域５２は、設けられていない。すなわち、カバー部材６から露出されるリアフレーム５の非基板取付領域５２は、逆Ｕ字形状を有する。
【００２９】
また、金属製のリアフレーム５のカバー部材６から露出された非基板取付領域５２により、液晶テレビジョン装置１００の後部筐体が構成されている。すなわち、本実施形態では、液晶モジュール２を構成する金属製のリアフレーム５のカバー部材６から露出した部分を後部筐体として兼用している。つまり、本実施形態では、後部筐体は、金属製のリアフレーム５の非基板取付領域５２と、カバー部材６とにより構成されている。また、リアフレーム５の露出された非基板取付領域５２は、基板取付領域５１に取り付けられた回路基板７および８から発生する熱を外部に放熱する放熱部として機能するように構成されている。
【００３０】
また、図６に示すように、カバー部材６には、複数のネジ挿入穴６ａおよび６１ａが形成されている。また、複数のネジ挿入穴６ａおよび６１ａの各々にネジ９が取り付けられることにより、樹脂製のカバー部材６が金属製のリアフレーム５に対して取り付けられている。具体的には、図４に示すように、カバー部材６は、ネジ９がカバー部材６のネジ挿入穴６ａを介してリアフレーム５のカバー部材取付用ネジ穴５ｃに取り付けられることにより、リアフレーム５に対して固定されている。なお、カバー部材６の左上に形成されたネジ挿入穴６１ａに挿入されたネジ９は、回路基板７の左上に形成されたネジ挿入穴７ａを介して、リアフレーム５の左上に形成された基板取付用ネジ穴５ａに取り付けられている。
【００３１】
また、リアフレーム５の後面に形成されたカバー部材取付用ネジ穴５ｃのうちの下方に形成されたカバー部材取付用ネジ穴５ｃには、スピーカ取付部材１０を挟み込むようにして、ネジ９によりカバー部材６が取り付けられている。また、スピーカ取付部材１０には、２つのスピーカ１１が取り付けられている。また、カバー部材６は、２つの回路基板７および８と、２つのスピーカ１１が取り付けられたスピーカ取付部材１０とを後方から覆うように取り付けられている。
【００３２】
また、図５に示すように、リアフレーム５に取り付けられた２つの回路基板７および８のうちの矢印Ｘ１方向側に配置された信号処理用の回路基板８は、外部接続端子１２ａおよび１２ｂと、外部接続端子１２ｂと接続されたテレビジョン放送を受信可能な受信部（チューナー）１３とを有している。また、図７に示すように、液晶テレビジョン装置１００では、受信部１３は、液晶モジュール２およびスピーカ１１と接続されており、アンテナ２００により受信されたテレビジョン放送信号（映像信号および音声信号）のうち映像信号を液晶モジュール２に出力するとともに、音声信号をスピーカ１１に出力するように構成されている。また、図２に示すように、外部接続端子１２ａは、回路基板８から後面（矢印Ｙ２方向側）に突出するように回路基板８に設けられているとともに、外部接続端子１２ｂは、回路基板８から側方（矢印Ｘ１方向側）に突出するように回路基板８に設けられている。
【００３３】
また、図６に示すように、カバー部材６の後面には、回路基板８に設けられた外部接続端子１２ａを後方（矢印Ｙ２方向）に露出させるための丸穴形状を有する６つの開口部６ｂが設けられている。また、図２に示すように、回路基板８に設けられた６つの外部接続端子１２ａは、それそれ、カバー部材６の６つの開口部６ｂを介して、外部に設けられた電子機器などの接続配線と接続することが可能に構成されている。また、カバー部材６は、回路基板８に設けられた外部接続端子１２ｂを側方（矢印Ｘ１方向）に露出させるための開口部６ｃを有している。この開口部６ｃは、側方（Ｘ方向）から見て、縦方向（Ｚ方向）に延びるような矩形形状を有している。
【００３４】
また、図８に示すように、カバー部材６は、リアフレーム５の後面の基板取付領域５１に取り付けられた２つの回路基板７および８を収納する凹部６ｄを有している。また、カバー部材６の凹部６ｄは、後方（矢印Ｙ２方向）に窪む形状を有している。また、２つの回路基板７および８は、カバー部材６の凹部６ｄに収納されるとともに、カバー部材６の内面と離間した状態でカバー部材６により覆われている。
【００３５】
また、図８および図９に示すように、リアフレーム５の後面の基板取付領域５１は、全体として凹形状に形成された凹部５ｄを有している。また、リアフレーム５の凹部５ｄには、カバー部材６の端部６ｅが嵌まり込むように取り付けられている。凹部５ｄは、本発明の「凹状部分」の一例である。
【００３６】
次に、図１０および図１１を参照して、１つのサイズのカバー部材６を異なるサイズのリアフレーム５および１０５に取り付ける場合について説明する。
【００３７】
図１０および図１１に示すように、１つのサイズ（同じサイズ）のカバー部材６は、異なるサイズのリアフレーム５および１０５に取り付けることが可能なように構成されている。たとえば、図１０に示す液晶テレビジョン装置を１９型（インチ）とし、図１１に示す液晶テレビジョン装置を２２型（インチ）とした場合に、いずれのサイズの液晶テレビジョン装置にも、Ｚ方向の長さがＬ１であるとともに、Ｘ方向の長さがＬ２であるカバー部材６を取り付けることが可能である。この場合、２２型の液晶テレビジョン装置のリアフレームの非基板取付領域の表面積は、１９型の液晶テレビジョン装置の非基板取付領域の表面積よりも大きくなる。なお、１９型の液晶テレビジョン装置と、２２型の液晶テレビジョン装置とに同じサイズのカバー部材６を取り付ける以外に、たとえば、２６型の液晶テレビジョン装置と、３２型の液晶テレビジョン装置とに２６型および３２型共通のサイズのカバー部材を取り付けることも可能である。
【００３８】
本実施形態では、上記のように、後面に回路基板７および８が取り付けられた基板取付領域５１を後方から覆うとともに、リアフレーム５の後面の基板取付領域５１以外の非基板取付領域５２を露出させるようにカバー部材６を配置する。これにより、リアフレーム５の基板取付領域５１に取り付けられた回路基板７および８をカバー部材６により直接的に覆うことができるので、カバー部材６以外の部材を別途設ける必要がない分、部品点数が増加するのを抑制することができる。また、リアフレーム５の基板取付領域５１と非基板取付領域５２との両方をカバー部材６により覆う場合と異なり、回路基板７および８から発生した熱をリアフレーム５の露出している非基板取付領域５２から外部に効率よく放熱させることができる。また、リアフレーム５の露出された非基板取付領域５２により後部筐体を構成することによって、カバー部材６をリアフレーム５の一部（基板取付領域５１）のみを覆うように配置した場合にも、別途、後部筐体を設ける必要がない。
【００３９】
また、本実施形態では、上記のように、基板取付領域５１を覆うとともに非基板取付領域５２を露出させるように配置されたカバー部材６が、回路基板８の６つの外部接続端子１２ａを露出させる開口部６ｂおよび外部接続端子１２ｂを露出させる開口部６ｃを有することによって、回路基板７および８がカバー部材６により覆われた状態で、回路基板８の外部接続端子１２ａおよび１２ｂをカバー部材６の開口部６ｂおよび６ｃを介して外部に設置された電子機器などの接続配線と容易に接続することができる。
【００４０】
また、本実施形態では、上記のように、後部筐体を構成するリアフレーム５を金属製にするとともに、リアフレーム５の露出された非基板取付領域５２を基板取付領域５１に取り付けられた回路基板７および８の熱を外部に放熱する放熱部として機能させることによって、後部筐体を構成するリアフレーム５が樹脂製の場合と比べて熱が伝わりやすいので、回路基板７および８から発生した熱を外部により効率よく放熱させることができる。
【００４１】
また、本実施形態では、上記のように、リアフレーム５の後面の基板取付領域５１に取り付けられた回路基板７および８をカバー部材６の凹部６ｄに収納された状態でカバー部材６により覆うことによって、リアフレーム５の後面に回路基板７および８が後方に突出するように取り付けられる場合にも、容易に、後方に突出した回路基板７および８をカバー部材６の凹部６ｄにより収納することができるので、容易に、回路基板７および８全体をカバー部材６により覆うことができる。
【００４２】
また、本実施形態では、上記のように、非基板取付領域５２を、リアフレーム５の後面に基板取付領域５１の周囲を取り囲むように設けることによって、リアフレーム５の基板取付領域５１の周囲を取り囲むように露出された非基板取付領域５２により、放熱に有効な露出領域の面積を大きくすることができるので、リアフレーム５の基板取付領域５１に取り付けられた回路基板７および８から発生した熱をより効果的に放熱することができる。
【００４３】
また、本実施形態では、上記のように、カバー部材６を凹形状の基板取付領域５１に嵌まり込むように取り付けることによって、リアフレーム５の基板取付領域５１が平坦面形状に形成されている場合と異なり、リアフレーム５の基板取付領域５１が凹形状に形成されている分、液晶テレビジョン装置１００全体の厚みを小さくすることができる。
【００４４】
また、本実施形態では、上記のように、後部筐体を構成するリアフレーム５の外周面部５０に近接して外周面部５０の周囲を覆う内周面部１ａを有する枠状の前部筐体１を設けることによって、容易に、後部筐体を構成するリアフレーム５の外周面部５０に前部筐体１の内周面部１ａを近接させて前部筐体１と後部筐体（リアフレーム５）とを対応する形状に形成することができる。
【００４５】
また、本実施形態では、上記のように、非基板取付領域５２を露出させながら、回路基板７および８に加えてスピーカ１１も覆うように、カバー部材６を配置することによって、スピーカ１１を覆うための部材を別途設ける必要がない分、部品点数の増加を抑制することができる。
【００４６】
また、本実施形態では、上記のように、カバー部材６を、異なるサイズ（１９型、２２型など）の表示パネル２（リアフレーム５および１０５）に対して共通する大きさ（サイズ）で取り付けることが可能なように構成することによって、異なるサイズ（１９型、２２型など）の表示パネル２（リアフレーム５および１０５）に取り付けるために異なる大きさ（サイズ）のカバー部材６を形成する必要がないので、その分、カバー部材６の製造工程を簡素化することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、表示装置（テレビジョン装置）の一例として液晶テレビジョン装置に本発明を適用する例を示したが、本発明はこれに限られない。たとえば、テレビジョン装置以外のたとえばパーソナルコンピュータのモニタなどの他の表示装置や液晶テレビジョン装置以外のテレビジョン装置にも本発明を適用可能である。
【００４９】
また、上記実施形態では、本発明の回路基板を取り付ける基板取付部材の一例として、リアフレームを適用する例を示したが、本発明はこれに限られない。たとえば、回路基板が取り付けられた基板取付領域をカバー部材により覆うことが可能であれば、リアフレーム以外の基板取付部材でも適用可能である。
【００５０】
また、上記実施形態では、本発明の放熱機能を有する基板取付部材の一例として、金属製のリアフレームを用いる例を示したが、本発明はこれに限られない。たとえば、放熱機能を有していれば、金属製以外のリアフレームでも適用可能である。
【００５１】
また、上記実施形態では、本発明のカバー部材の一例として、樹脂製のカバー部材を用いる例を示したが、本発明はこれに限られない。たとえば、金属製のカバー部材を用いてもよい。
【００５２】
また、上記実施形態では、リアフレームの基板取付領域に２つの回路基板を取り付ける例を示したが、本発明はこれに限られない。たとえば、リアフレームの基板取付領域には、１つまたは３つ以上の回路基板を取り付けてもよい。そして、リアフレームの基板取付領域に取り付けられた１つまたは３つ以上の数の回路基板を覆うようにカバー部材を配置するとよい。
【符号の説明】
【００５３】
１  前部筐体
１ａ  内周面部（内周縁部）
２  液晶モジュール（表示パネル）
５  リアフレーム（基板取付部材）
６  カバー部材
６ｂ、６ｃ  開口部
６ｄ  凹部  
７、８  回路基板
１１  スピーカ
１２ａ、１２ｂ  外部接続端子
１３  受信部
５０  外周面部（外周縁部）
５１  基板取付領域
５２  非基板取付領域
１００  液晶テレビジョン装置（表示装置）（テレビジョン装置）
【図１】
0005926905.tif 000002
【図２】
0005926905.tif 000003
【図３】
0005926905.tif 000004
【図４】
0005926905.tif 000005
【図５】
0005926905.tif 000006
【図６】
0005926905.tif 000007
【図７】
0005926905.tif 000008
【図８】
0005926905.tif 000009
【図９】
0005926905.tif 000010
【図１０】
0005926905.tif 000011
【図１１】
0005926905.tif 000012